(57)【要約】【課題】十分なフィット性が得られると共に、着用時のべたつき感やムレ感が低減して着用感に優れる吸収性物品を提供すること。【解決手段】本発明の吸収性物品１は、肌側シート２、非肌側シート３と、吸収性コア４１とを備える。吸収性コア４１は、前方区域Ａ側の第一領域４１Ｆ及び後方区域Ｃ側の第三領域４１Ｒとの間に第二領域４１Ｍを有し、第二領域４１Ｍには中間中高部４２を有し、第三領域４１Ｒには後方中高部４７を有している。中間中高部４２と後方中高部４７との間は中高間隔領域４１Ｄを介して互いに離間している。肌側シート２は、高凸部２ｔ１が複数横方向Ｙに並んだ高凸部列２１Ｌと、低凸部２ｔ２が複数横方向Ｙに並んだ低凸部列２２Ｌとが縦方向Ｘに交互に配された高低凸部列領域４９を有している。高低凸部列領域４９は中高間隔領域４１Ｄと重なっている。【選択図】図１
2018102639.tif 000002
【特許請求の範囲】
【請求項１】
肌側シートと、非肌側シートと、これら両シート間に介在された吸収性コアとを備え、着用者の前後方向に対応する縦方向と該縦方向に直交する横方向とを有し、前方区域及び後方区域を有する吸収性物品であって、
前記吸収性コアは、前記前方区域側に位置する第一領域と前記後方区域側に位置する第三領域との間に第二領域を有し、該第二領域における横方向の中央部にその前後部分より厚みの大きい中間中高部を有すると共に、前記第三領域における横方向の中央部にその前後部分より厚みの大きい後方中高部を有しており、
前記中間中高部と前記後方中高部との間は中高間隔領域を介して互いに離間しており、
前記肌側シートは、肌対向面側に突出した高凸部が複数横方向に並んだ高凸部列と、該高凸部よりも高さの低い低凸部が複数横方向に並んだ低凸部列とが、縦方向に交互に配置された高低凸部列領域を有しており、
前記高低凸部列領域が前記中高間隔領域と重なっている、吸収性物品。
【請求項２】
前記肌側シートの前記高凸部及び前記低凸部は繊維で満たされており、該低凸部の繊維密度が該高凸部の繊維密度よりも高い、請求項１に記載の吸収性物品。
【請求項３】
前記吸収性コアにおける前記中高間隔領域に、周囲よりも坪量が小さく、横方向に延在する横中高間隔溝部が配されている、請求項１又は２に記載の吸収性物品。
【請求項４】
前記横中高間隔溝部は前記中間中高部の縦方向の後端又は前記後方中高部の縦方向の先端に接する位置に配されている、請求項３に記載の吸収性物品。
【請求項５】
前記肌側シートは、肌対向面側に位置する第１層と前記吸収性コア側に位置する第２層とが積層されて形成されており、前記第１層が前記高凸部と前記低凸部とを構成し、前記第２層を構成する繊維の繊維密度が該低凸部を構成する前記第１層の繊維の繊維密度よりも高い、請求項１〜４の何れか１項に記載の吸収性物品。
【請求項６】
前記第１層を構成する繊維が非熱収縮性繊維を含み、前記第２層を構成する繊維が熱収縮性繊維を含む、請求項５に記載の吸収性物品。
【発明の詳細な説明】
【技術分野】
【０００１】
本発明は、生理用ナプキン、失禁パッド等の吸収性物品に関する。
【背景技術】
【０００２】
従来、生理用ナプキン、使い捨ておむつ等の吸収性物品においては、吸収性コアにおいて、中央部分に坪量の大きい中高部分を設けることにより多量の体液を吸収する方法が提案されている。
【０００３】
出願人は、先に、着用者の身体にフィットさせるために、吸収性物品の吸収性コアにおいて、前方領域及び後方領域のそれぞれに中高部を設け、各該中高部が該吸収性コアの縦方向に間隔を空けて配されている吸収性物品を提案した（特許文献１）。
【０００４】
また、これらの技術とは別の技術として、べたつき感やムレを低減するために、本出願人は、吸収性物品の表面シートとして、高凸部と該高凸部よりも高さの低い低凸部とを複数有しており、該高凸部が横方向に沿って複数配された高凸部列と、該低凸部が横方向に沿って複数配された低凸部列とが、縦方向に交互に配された表面シートを用いた吸収性物品を提案した（特許文献２）。
【先行技術文献】
【特許文献】
【０００５】
【特許文献１】特開２００６−２３９１６２号公報
【特許文献２】特開２０１５−１８６５４３号公報
【発明の概要】
【発明が解決しようとする課題】
【０００６】
しかし、これら特許文献に開示された技術では、着用時のフィット感とムレ難さの両立に関して改善の余地があった。
【０００７】
したがって本発明は、前述した従来技術が有する欠点を解消し得る吸収性物品を提供することにある。
【課題を解決するための手段】
【０００８】
本発明は、肌側シートと、非肌側シートと、これら両シート間に介在された吸収性コアとを備え、着用者の前後方向に対応する縦方向と該縦方向に直交する横方向とを有し、前方区域及び後方区域を有する吸収性物品であって、前記吸収性コアは、前記前方区域側に位置する第一領域と前記後方区域側に位置する第三領域との間に第二領域を有し、該第二領域における横方向の中央部にその前後部分より厚みの大きい中間中高部を有すると共に、前記第三領域における横方向の中央部にその前後部分より厚みの大きい後方中高部を有しており、前記中間中高部と前記後方中高部との間は中高間隔領域を介して互いに離間しており、前記肌側シートは、肌対向面側に突出した高凸部が複数横方向に並んだ高凸部列と、該高凸部よりも高さの低い低凸部が複数横方向に並んだ低凸部列とが、縦方向に交互に配置された高低凸部列領域を有しており、前記高低凸部列領域が前記中高間隔領域と重なっている、吸収性物品を提供するものである。
【発明の効果】
【０００９】
本発明によれば、十分なフィット性が得られると共に、着用時のべたつき感やムレ感が低減して着用感に優れる。
【図面の簡単な説明】
【００１０】
【図１】図１は、本発明の吸収性物品の好ましい一実施形態である生理用ナプキンの肌対向面側（肌側シート側）を示す平面図である。
【図２】図２は、図１に示す生理用ナプキンの有する吸収性コアにおける肌対向面側の平面図である。
【図３】図３は、図２に示す吸収性コアの斜視図である。
【図４】図４は、図１に示す生理用ナプキンにおける図２に示す吸収性コアの中高間隔領域と重なる肌側シートを模式的に示す平面図である。
【図５】図５は、図４に示すＶ−Ｖ線断面を模式的に示す断面図である。
【図６】図６は、図４のＶＩ−ＶＩ線断面を模式的に示す断面図である。
【図７】図７（ａ）、（ｂ）は、図１に示す生理用ナプキンの備える吸収性コアの製造工程を説明する説明図である。
【図８】図８は、図１に示す生理用ナプキンにおける、肌側シートにおけるエンボス部の形状及び配置パターンを示す平面図である。
【図９】図２は、図８に示すＩＸ−ＩＸ線断面を模式的に示す断面図である。
【図１０】図１０は、図８に示すＸ−Ｘ線断面を模式的に示す断面図である。
【図１１】図１１は、図８に示すＸＩ−ＸＩ線断面を模式的に示す断面図である。
【発明を実施するための形態】
【００１１】
以下、本発明の吸収性物品を、その好ましい一実施形態である生理用ナプキン１（以下、「ナプキン１」とも言う。）に基づき図面を参照して説明する。図１には、本実施形態のナプキン１を肌側シート側から視た平面図が示されている。本実施形態のナプキン１は、図１に示すように、肌対向面を形成する肌側シート２と、非肌対向面を形成する非肌側シート３と、これら両シート２，３間に介在された吸収性コア４１とを備え、着用者の前後方向に対応する縦方向Ｘと該縦方向Ｘに直交する横方向Ｙとを有し、前方区域Ａ及び後方区域Ｃを有する。ナプキン１は、図１に示すように、着用者の液排泄部に対向配置される中間区域Ｂと、該中間区域Ｂの縦方向Ｘの前後に配置された前方区域Ａ及び後方区域Ｃとに区分されている。
【００１２】
本明細書において、縦方向Ｘは、着用者の前後方向に対応しており、吸収性物品（ナプキン１）の長手方向に一致し、横方向Ｙは、吸収性物品（ナプキン１）の幅方向（長手方向に直交する方向）に一致している。したがって、特段の断りがない場合には、本明細書において、長手方向（縦方向Ｘ）の長さは、縦方向Ｘで測定される距離である「長さ」を意味し、横方向Ｙの長さは、横方向Ｙで測定される距離である「幅」を意味する。ナプキン１は、縦方向Ｘに延びる中心線ＣＬに対して左右対称に形成されている。縦方向Ｘとは、中心線ＣＬに平行な方向でもある。また、本明細書において、肌対向面は、吸収性物品（ナプキン１）又はその構成部材である例えば吸収体４における、吸収性物品（ナプキン１）の着用時に着用者の肌側に向けられる面であり、非肌対向面は、吸収性物品（ナプキン１）又はその構成部材である例えば吸収体４における、吸収性物品（ナプキン１）の着用時に肌側とは反対側（着衣側）に向けられる面である。
【００１３】
ナプキン１は、図１に示すように、着用時に着用者の液排泄部（膣口等）に対向配置される中間区域Ｂと、該中間区域Ｂよりも着用者の腹側（前側）寄りに配される前方区域Ａと、該中間区域Ｂよりも着用者の背側（後側）寄りに配される後方区域Ｃとを有している。即ち、ナプキン１は、縦方向Ｘに、前方区域Ａ、中間区域Ｂ及び後方区域Ｃの順番で区分される。
【００１４】
尚、本発明の吸収性物品において、中間区域Ｂとは、本実施形態のナプキン１のようにウイング部１Ｗを有する場合には、縦方向Ｘにおいてウイング部１Ｗを有する領域（一方のウイング部１Ｗの縦方向Ｘに沿う付け根と他方のウイング部１Ｗの縦方向Ｘに沿う付け根とに挟まれた領域）を意味する。また、ウイング部を有しない吸収性物品の場合には、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域を意味する。
【００１５】
本実施形態のナプキン１は、図１に示すように、肌対向面を形成する液透過性の肌側シート２、非肌対向面を形成する非肌側シート３、及びこれら両シート２，３間に介在された吸収体４を具備している。吸収体４は、吸収性コア４１と、該吸収性コア４１を包むコアラップシート（不図示）とから構成されている。
【００１６】
ナプキン１では、肌側シート２は、図１に示すように、吸収体４の肌対向面の全域を被覆し、吸収体４の縦方向Ｘに沿う両側縁から横方向Ｙの外方に延出している。一方、非肌側シート３は、吸収体４の非肌対向面の全域を被覆し、更に肌側シート２の縦方向Ｘに沿う両側縁から横方向Ｙの外方に延出して、後述するサイドシート５と共に後方フラップ部１Ｓを形成している。非肌側シート３とサイドシート５とは、吸収体４の縦方向Ｘに沿う両側縁からの延出部において、接着剤、ヒートシール、超音波シール等の公知の接合手段によって互いに接合されている。尚、肌側シート２及び非肌側シート３それぞれと吸収体４との間は接着剤によって接合されていてもよい。
【００１７】
ナプキン１では、サイドシート５は、図１に示すように、肌側シート２の肌対向面における縦方向Ｘに沿う両側部に配されている。好適には、サイドシート５は、平面視において肌側シート２の縦方向Ｘに沿う左右両側部に重なるように、肌側シート２の縦方向Ｘの全長に亘って配されている。
【００１８】
ナプキン１では、後方フラップ部１Ｓは、図１に示すように、後方区域Ｃにおいて横方向Ｙの外方に向かって大きく張り出している。後方フラップ部１Ｓは、着用時にショーツ等の着衣の内面（肌側に向けられる面）上に配される。後方フラップ部１Ｓの非肌側シート３からなる面にも、ショーツ等の着衣の内面に固定するための粘着部が設けられていることが好ましい。またナプキン１では、一対のウイング部１Ｗ，１Ｗは、中間区域Ｂにおいて横方向Ｙの外方に向かって大きく張り出している。ウイング部１Ｗは、ショーツ等の着衣のクロッチ部の非肌対向面側に折り返されて用いられるものであり、ショーツ等の着衣のクロッチ部の非肌対向面に固定するためのウイング部粘着部１Ｗａが設けられている。また、肌側シート２及び非肌側シート３は、図１に示すように、吸収体４の縦方向Ｘの前端及び後端それぞれから縦方向Ｘの外方に延出し、それらの延出部において、接着剤、ヒートシール、超音波シール等の公知の接合手段によって、互いに接合されてエンドシール部を形成している。
【００１９】
ナプキン１では、吸収体４を構成する吸収性コア４１は、図２に示すように、縦方向Ｘに長い縦長形状であり、縦方向Ｘの前方区域Ａ側に位置する第一領域４１Ｆ及び後方区域Ｃ側に位置する第三領域４１Ｒを有し、第一領域４１Ｆと第三領域４１Ｒとの間に第二領域４１Ｍを有している。また吸収性コア４１は、第二領域４１Ｍにおける横方向Ｙの中央部にその前後部分より厚みの大きい中間中高部４２を有し、第三領域４１Ｒにおける横方向Ｙの中央部にその前後部分より厚みの大きい後方中高部４７を有している。中間中高部４２及び後方中高部４７は、それぞれ、吸収性コア４１の周辺領域４１Ａｒにおける厚みよりも厚みが厚く、該吸収性コア４１の周辺領域４１Ａｒの坪量よりも坪量が多く形成されている。なお、吸収性コア４１の周辺領域４１Ａｒとは、吸収性コア４１における中央中間中高部４２Ｃ、一対の側方中間中高部４２Ｓ，４２Ｓ、後方中高部４７、後述する溝部４５及び後述する中高間隔溝部４８を除く周辺の領域を意味する。
【００２０】
図１に示すナプキン１のように、横方向Ｙ両外側に一対のウイング部１Ｗ，１Ｗを備える場合には、各ウイング部１Ｗにおける縦方向Ｘに間隔を空けて配されたウイング部１Ｗの付け根どうし間に第二領域４１Ｍが存在している（図２参照）。ナプキン１では、第二領域４１Ｍの縦方向Ｘの長さＬ２（図２参照）は、各ウイング部１Ｗにおける縦方向Ｘに間隔を空けて配されたウイング部１Ｗ（図１参照）の付根どうし間の長さと同一である。
【００２１】
ナプキン１では、第二領域４１Ｍに配される中間中高部４２は、図２に示すように吸収性コア４１を平面視して、吸収性コア４１の縦方向Ｘに長い長円形状を有する中央中間中高部４２Ｃと、中央中間中高部４２Ｃの縦方向Ｘに沿う両側縁それぞれから横方向Ｙの外方に延出する一対の側方中間中高部４２Ｓ，４２Ｓとを有する。各側方中間中高部４２Ｓは、中央中間中高部４２Ｃの縦方向Ｘに沿う各側縁から吸収性コア４１の縦方向Ｘに沿う側縁４１ｓにまで及んでいる。中央中間中高部４２Ｃは、中間区域Ｂのみに形成されていても良いが、図２に示す吸収性コア４１では、中間区域Ｂから後方区域Ｃの一部に亘って延在している。一方、一対の側方中間中高部４２Ｓ，４２Ｓは中間区域Ｂ内に形成されている。中間区域Ｂから後方区域Ｃの一部に亘って延在する中央中間中高部４２Ｃは、その前後部よりも厚みが大きく、坪量が多く形成されている。また、各側方中間中高部４２Ｓは、吸収性コア４１の周辺領域４１Ａｒの坪量よりも坪量が多く形成されている。
【００２２】
中央中間中高部４２Ｃは、図２に示すように吸収性コア４１を平面視して、横方向Ｙの中央部における縦方向Ｘの長さＬ２が吸収性コア４１の縦方向Ｘの長さＬ１よりも短く、横方向Ｙの長さよりも長くなるように形成されている。また中央中間中高部４２Ｃは、横方向Ｙの中央部における縦方向Ｘの長さＬ２が、各側方中間中高部４２Ｓの中心線ＣＬから離れている側の側縁の縦方向Ｘの長さＬ４よりも長く形成されている。また、各側方中間中高部４２Ｓは、横方向Ｙの外方に向かって縦方向Ｘの長さが漸次短くなっている。具体的に各側方中間中高部４２Ｓは、中心線ＣＬに近い側の縦方向Ｘに沿う内方側辺と、中心線ＣＬから離れた側の縦方向Ｘに沿う外方側辺と、内方側辺及び外方側辺の上端同士を結ぶ上辺と、内方側辺及び外方側辺の下端同士を結ぶ下辺とを有しており、上辺と下辺との間隔（幅）が横方向Ｙの外方に向かって漸減している。このように、各側方中間中高部４２Ｓは、縦方向Ｘの長さが、中央中間中高部４２Ｃの縦方向Ｘに沿う両側縁それぞれから吸収性コア４１の縦方向Ｘに沿う両側縁それぞれに向かって漸減する部分を有している。
【００２３】
図２及び図３に示す吸収性コア４１においては、中央中間中高部４２Ｃ及び一対の側方中間中高部４２Ｓ，４２Ｓを有する中間中高部４２は、厚みの薄い中高部溝部４３を有している。ここで「厚みの薄い中高部溝部４３」とは、厚み方向Ｚに薄くても厚みを有する有底である場合と、吸収性コア４１の構成材料を全く存在せずに吸収性コアを貫通している場合の双方を含んでおり、中間中高部４２における他の部位よりも厚みが薄くなっている部位のことを意味する。ナプキン１では、中高部溝部４３は、その底部の坪量が、吸収性コア４１の他の領域、具体的には、第一領域４１Ｆ及び第三領域４１Ｒの後述する小吸収部４６の坪量よりも低くなっている。
【００２４】
図２及び図３に示す吸収性コア４１においては、中高部溝部４３は、中間中高部４２の輪郭に沿って延びる外周中高境界溝部４３ａを有している。外周中高境界溝部４３ａは、中央中間中高部４２Ｃ及び一対の側方中間中高部４２Ｓ，４２Ｓの輪郭に沿って形成されている。ナプキン１では、図２に示すように、中間中高部４２の中央中間中高部４２Ｃは、相対的に坪量が低い中高部溝部４３と相対的に坪量が高く中高部溝部４３で囲まれた複数の中高部小吸収部４３ｋとを有するブロック構造が、縦方向Ｘに複数配されたブロック領域を有している。また中間中高部４２の一対の側方中間中高部４２Ｓ，４２Ｓは、相対的に坪量が低い中高部溝部４３と相対的に坪量が高く中高部溝部４３で囲まれた複数の中高部小吸収部４３ｋとを有するブロック構造となっている。
【００２５】
中間中高部４２の中高部溝部４３は、外周中高境界溝部４３ａ以外に、吸収性コア４１の横方向Ｙに延びる横中高部溝部４３ｙと、吸収性コア４１の縦方向Ｘに延びる縦中高部溝部４３ｘとを有している。横中高部溝部４３ｙは、吸収性コア４１の第一領域４１Ｆ及び第三領域４１Ｒに配された横方向Ｙに延びる横溝４５Ｙの一部と連続して一直線上に形成されている。また、縦中高部溝部４３ｘは、吸収性コア４１の第一領域４１Ｆ及び第三領域４１Ｒに配された縦方向Ｘに延びる縦溝４５Ｘの一部と連続して一直線上に形成されている。吸収性コア４１の中高部溝部４３は、横溝４５Ｙ及び縦溝４５Ｘと同様に、肌対向面側に開口している。
【００２６】
ナプキン１では、第三領域４１Ｒにおける横方向Ｙの中央部に配される後方中高部４７は、図２及び図３に示すように、縦方向Ｘに長い直方体状に形成されており、第三領域４１Ｒに配された縦溝４５Ｘ、横溝４５Ｙ、及び後述する横中高間隔溝部４８ｙで囲まれている。後方中高部４７は、吸収性コア４１の周辺領域４１Ａｒにおける厚みよりも厚みが厚く、該吸収性コア４１の周辺領域４１Ａｒの坪量よりも坪量が多く形成されている。後方中高部４７は、図２に示すように、横方向Ｙの長さが中間中高部４２の横方向Ｙの長さよりも短く、縦方向Ｘの長さが中間中高部４２の縦方向Ｘの長さよりも短く形成されている。
【００２７】
ナプキン１では、中間中高部４２と後方中高部４７との間は中高間隔領域４２Ｄを介して互いに離間している。好適に、中間中高部４２と後方中高部４７とは、縦方向Ｘに間隔を空けて配されており、吸収性コア４１は、図２及び図３に示すように、中間中高部４２と後方中高部４７との間に中高間隔領域４１Ｄを有している。中高間隔領域４１Ｄは周辺領域４１Ａｒに配されている。ナプキン１では、中高間隔領域４１Ｄは、後方区域Ｃの一部に亘って延在している中間中高部４２と後方区域Ｃに配されている後方中高部との間に位置している。即ち、中高間隔領域４１Ｄは、後方区域Ｃに位置している。
【００２８】
吸収性コア４１における中高間隔領域４１Ｄには、厚みの薄い中高間隔溝部４８が設けられている。ここで、「厚みの薄い中高間隔溝部４８」とは、厚み方向Ｚに薄くても厚みを有する有底である場合と、吸収性コアの構成材料を全く存在せずに吸収性コアを貫通している場合の双方を含んでおり、中間中高部４２における他の部位よりも厚みが薄くなっている部位のことを意味する。ナプキン１では、中高間隔溝部４８は、吸収性コア４１の周辺領域４１Ａｒよりも坪量が小さく形成されている。具体的には、中高間隔溝部４８は、その底部の坪量が、第一領域４１Ｆ及び第三領域４１Ｒの後述する小吸収部４６の坪量よりも坪量が小さく形成されている。中高間隔溝部４８は、吸収性コア４１の横方向Ｙに延びる横中高間隔溝部４８ｙと、吸収性コア４１の縦方向Ｘに延びる縦中高間隔溝部４８ｘとを有している。横中高間隔溝部４８ｙは、吸収性コア４１の横方向Ｙに延在し、中間中高部４２の縦方向Ｘの後端、及び後方中高部４７の縦方向Ｘの先端に接する位置に配されている。横中高間隔溝部４８ｙは、吸収性コア４１の第三領域４１Ｒに配された横方向Ｙに延びる横溝４５Ｙに平行に一直線上に形成されている。縦中高間隔溝部４８ｘは、吸収性コア４１の第三領域４１Ｒに配された縦方向Ｘに延びる縦溝４５Ｘの一部と連続して一直線上に形成されている。吸収性コア４１の中高間隔溝部４８は、横溝４５Ｙ及び縦溝４５Ｘと同様に、肌対向面側に開口している。
【００２９】
ナプキン１では、図４に示すように、肌側シート２は、肌対向面側に突出した高凸部２ｔ１が複数横方向に並んだ高凸部列２１Ｌと、高凸部２ｔ１よりも高さの低い低凸部２ｔ２が複数横方向に並んだ低凸部列２２Ｌとが、縦方向に交互に配置された高低凸部列領域４９を有しており、高低凸部列領域４９が中高間隔領域４１Ｄと重なっている。好適に、ナプキン１では、図４〜図６に示すように、ナプキン１を肌対向面側から平面視して、吸収性コア４１の中高間隔領域４１Ｄと重なる位置に肌側シート２の高凸部列２１Ｌと低凸部列２２Ｌとが縦方向Ｘに交互に配された高低凸部列領域４９を有している。ナプキン１では、図４に示すように、吸収性コア４１の中高間隔領域４１Ｄと重なる位置に、肌側シート２の肌対向面側に突出する高凸部２ｔ１が横中高間隔溝部４８ｙと平行に複数配された高凸部列２１Ｌを形成し、及び低凸部２ｔ２が横中高間隔溝部４８ｙと平行に複数配された低凸部列２２Ｌを形成している。ナプキン１では、吸収性コア４１の中高間隔領域４１Ｄと重なる位置に、高凸部列２１Ｌ及び低凸部列２２Ｌが縦中高間隔溝部４８ｘに沿って交互に配されている。尚、図中のＸ方向は、肌側シート２の製造時の機械方向（ＭＤ方向）及びナプキン１の縦方向Ｘと同じ方向である。また、図中のＹ方向は、肌側シートの製造時の機械方向（ＭＤ方向）に直交する方向（ＣＤ方向）及びナプキン１の横方向Ｙと同じ方向である。また、図中のＺ方向は、厚み方向である。
【００３０】
また、ナプキン１は、図１に示すように、中央中間中高部４２Ｃの全部及び一対の側方中間中高部４２Ｓ，４２Ｓの一部と重なる位置に、高凸部列２１Ｌ及び低凸部列２２Ｌが縦方向Ｘに交互に配されている。
【００３１】
ナプキン１では、中間中高部４２（中央中間中高部４２Ｃ及び各側方中間中高部４２Ｓ）及び後方中高部４７は、その坪量が、吸収性コア４１における周辺領域４１Ａｒの坪量よりも坪量が高く形成されている。好適に、ナプキン１では、図３に示すように、中間中高部４２及び後方中高部４７の厚みが、吸収性コア４１における周辺領域４１Ａｒの厚みよりも厚く形成されており、且つ、吸収性コア４１における周辺領域４１Ａｒの坪量よりも坪量が高く形成されている。中間中高部４２及び後方中高部４７の厚み及び坪量と比較する周辺領域４１Ａｒの厚み及び坪量は、周辺領域４１Ａｒに後述する溝部４５が形成されている場合には、周辺領域４１Ａｒにおける溝部４５が存在しない部分における厚み及び坪量を意味する。ナプキン１の吸収性コア４１は、コア材料の坪量に差を設けて厚み差を設けてあるため、坪量の均一な吸収性コアの一部を圧縮して厚み差を設ける場合とは異なり、吸収性コア４１は、全体として柔軟である。
【００３２】
中間中高部４２の中央中間中高部４２Ｃの厚みは、中央中間中高部４２Ｃを肌に向かって突出させて吸収性コア４１の液の吸収性等を向上させつつ着用時における身体への追従性や違和感を抑える観点から、吸収性コア４１における周辺領域４１Ａｒの厚みの、好ましくは１１０％以上２５０％以下、より好ましくは１２０％以上２２０％以下である。中央中間中高部４２Ｃに前述した中高部溝部４３等を有する場合の中央中間中高部４２Ｃの厚みは、それらの溝部以外の部分の厚みを意味し、中央中間中高部４２Ｃの厚みと対比する周辺領域４１Ａｒの厚みは、好ましくは吸収性コア４１の周辺領域４１Ａｒにおける中高部溝部４３等の溝部が存在しない部分における厚みである。上述した構成は、本実施形態のナプキン１のように中間中高部４２が中間区域Ｂに設けられているときに、特に有効である。
具体的に、中間中高部４２の厚みは、好ましくは３ｍｍ以上１５ｍｍ以下、より好ましくは５ｍｍ以上１０ｍｍ以下である。なお、中間中高部４２の全範囲において上記厚みの関係になっていることが好ましいが、中間中高部４２の厚み方向に漸次的な増減が設けられているような場合においては、最も厚い部分において上記の関係となっていればよい。
【００３３】
中間中高部４２の各側方中間中高部４２Ｓの厚みは、一対の側方中間中高部４２Ｓ，４２Ｓを肌に向かって突出させて吸収性コア４１の液の吸収性等を向上させる観点から、中央中間中高部４２Ｃの厚みよりも小さいことが好ましく、中央中間中高部４２Ｃの厚みの好ましくは６０％〜９９％、より好ましくは６５％〜９５％である。各側方中間中高部４２Ｓに前述した中高部溝部４３等を有する場合の各側方中間中高部４２Ｓの厚みは、それらの溝部以外の部分の厚みを意味する。上述した構成は、本実施形態のナプキン１のように中間中高部４２が中間区域Ｂに設けられているときに、特に有効である。
具体的に、各側方中間中高部４２Ｓの厚みは、なお、中間中高部４２の全範囲において上記厚みの関係になっていることが好ましいが、中間中高部４２の厚み方向に漸次的な増減が設けられているような場合においては、最も厚い部分において上記の関係となっていればよい。
【００３４】
後方中高部４７の厚みは、後方中高部４７を肌に向かって突出させて身体（好ましくは臀裂）に対してフィット性を向上させる観点から、中央中間中高部４２Ｃの厚みよりは小さいことが好ましく、また側方中間中高部４２Ｓの厚みよりも大きいことが好ましい。後方中高部４７の厚みは、着用時における身体への良好な追従性と違和感を抑える観点から、側方中間中高部４２Ｓの厚みの好ましくは１００％以上１８０％以下、より好ましくは１００％以上１５０％以下である。なお、中間中高部４２の全範囲において上記厚みの関係になっていることが好ましいが、中間中高部４２の厚み方向に漸次的な増減が設けられているような場合においては、最も厚い部分において上記の関係となっていればよい。
【００３５】
吸収性コア４１の周辺領域４１Ａｒの厚みは、好ましくは２．０ｍｍ以上７．０ｍｍ以下、より好ましくは３．０ｍｍ以上６．０ｍｍ以下である。ナプキン１では、吸収性コア４１の周辺領域４１Ａｒの厚みは、後述する溝部４５が存在しない部分において、略均一に形成されていることが好ましいが、周辺領域４１Ａｒの横方向Ｙ又は縦方向Ｘに漸次的な厚みの増減が設けられているような場合においては、最も厚い部分において上記の関係となっていればよい。中央中間中高部４２Ｃ、各側方中間中高部４２Ｓ、後方中高部４７及び周辺領域４１Ａｒ等の吸収性コア４１の各部の厚みは、以下の方法によって測定される。
【００３６】
＜吸収性コア４１の各部の厚みの測定方法＞
吸収性コアを水平な場所にシワや折れ曲がりがないように静置し、該吸収性コア４１から測定対象物である中央中間中高部４２Ｃ、側方中間中高部４２Ｓ、後方中高部４７又は周辺領域４１Ａｒ等を切り出す。そして、切り出した測定対象物における８ｃＮ／ｃｍ2の荷重下での厚みを測定する。具体的には、厚みの測定に、例えば、厚み計 PEACOCK DIAL UPRIGHT GAUGES R5-C(OZAKI MFG.CO.LTD.製）を用いる。このとき、厚み計の先端部と切り出した測定対象物との間に、荷重が８ｃＮ／ｃｍ2となるように大きさを調整した平面視円形状又は正方形状のプレート（２０ｍｍ×２０ｍｍ、厚さ５ｍｍ程度の金属板）を配置して、厚みを測定する。吸収性コア４１における周辺領域４１Ａｒ等の厚みを測定する際には、後述する溝部４５を含まないように測定する。
【００３７】
ナプキン１では、吸収性コア４１における中間中高部４２の中央中間中高部４２Ｃの坪量は、中央中間中高部４２Ｃを肌に向かって突出させて中間区域Ｂにおける吸収性コアの液の吸収性等を向上させる観点から、好ましくは３００ｇ／ｍ2以上９００ｇ／ｍ2以下、より好ましくは４５０ｇ／ｍ2以上８００ｇ／ｍ2以下である。
【００３８】
また、吸収性コア４１における中間中高部４２の各側方中間中高部４２Ｓの坪量は、各側方中間中高部４２Ｓを肌に向かって突出させて中間区域Ｂにおける吸収性コアの液の吸収性等を向上させる観点から、中央中間中高部４２Ｃの坪量の４０％以上９０％以下であることが好ましく、５０％以上７５％以下であることが更に好ましい。
【００３９】
また、吸収性コア４１における後方中高部４７の坪量は、後方中高部４７を肌に向かって突出させて身体（好ましくは臀裂）に対してフィット性を向上させる観点から、好ましくは３００ｇ／ｍ2以上８００ｇ／ｍ2以下、より好ましくは４００ｇ／ｍ2以上７００ｇ／ｍ2以下である。
【００４０】
また、吸収性コア４１における周辺領域４１Ａｒの坪量は、好ましくは１００ｇ／ｍ2以上５００ｇ／ｍ2以下、より好ましくは１５０ｇ／ｍ2以上４００ｇ／ｍ2以下である。
中央中間中高部４２Ｃ、各側方中間中高部４２Ｓ及び後方中高部４７の坪量は、上述した吸収性コア４１の各部の厚みの測定方法で説明したように切り出した中央中間中高部４２Ｃ、側方中間中高部４２Ｓ及び後方中高部４７の部分のサンプルの質量を、そのサンプルの肌対向面側の面の面積で除して求める。周辺領域４１Ａｒの坪量は、上述した吸収性コア４１の各部の厚みの測定方法で説明したように切り出した周辺領域４１Ａｒのサンプルの質量を、そのサンプルの肌対向面側の面の面積で除して求める。吸収性コア４１における周辺領域４１Ａｒ等の坪量を測定する際には、後述する溝部４５を含まないように測定する。
【００４１】
中間中高部４２の縦方向Ｘの全長（中央中間中高部４２Ｃの縦方向Ｘの全長）Ｌ２は、吸収性コア４１の縦方向Ｘの全長Ｌ１の、好ましくは２５％以上７０％以下、より好ましくは３０％以上５５％以下である。
全長Ｌ１とは吸収性コア４１の縦方向Ｘにおける最も長い位置での距離を示し、全長Ｌ２とは中間中高部４２の縦方向Ｘにおける最も長い位置での距離（中央中間中高部４２Ｃの縦方向Ｘにおける最も長い距離）を意味する（図２参照）。
【００４２】
中間中高部４２を構成する各側方中間中高部４２Ｓの中心線ＣＬに近い内方側辺の縦方向Ｘの全長Ｌ３は、中間中高部４２を構成する中央中間中高部４２Ｃの全長Ｌ２の好ましくは２０％以上８０％以下、より好ましくは３０％以上６０％以下である。全長Ｌ３とは各側方中間中高部４２Ｓの縦方向Ｘにおける最も長い位置でも距離を意味する（図２参照）。
【００４３】
各側方中間中高部４２Ｓの中心線ＣＬから離れた外方側辺の縦方向Ｘの全長Ｌ４は、各側方中間中高部４２Ｓの内方側辺の縦方向Ｘの全長Ｌ３の好ましくは１０％以上７０％以下、より好ましくは２０％以上６０％以下である。
【００４４】
ナプキン１では、吸収性コア４１における中高部溝部４３（外周中高境界溝部４３ａ、縦中高部溝部４３ｘ及び横中高部溝部４３ｙ）の溝幅は、中間区域Ｂにおける液の吸収性等を向上させる観点から、好ましくは０．１ｍｍ以上５．０ｍｍ以下、より好ましくは、０．５ｍｍ以上３．０ｍｍ以下である。尚、中高部溝部４３の溝幅及び後述する厚みは、中高部溝部４３の延びる方向に直交する方向に切断し、切端面の写真から計測する。ナプキン１では、吸収性コア４１における中高部溝部４３での厚みは、中間区域Ｂにおける液の吸収性等を向上させる観点から、好ましくは、０．０８ｍｍ以上７．０ｍｍ以下、より好ましくは、０．１５ｍｍ以上３．５ｍｍ以下である。
【００４５】
ナプキン１では、中高部溝部４３は、中間中高部４２の坪量よりも坪量が低く、更に、吸収性コア４１における周辺領域４１Ａｒの坪量よりも坪量が低く形成されている。ここで、周辺領域４１Ａｒの坪量とは、溝部４５を有する場合には、溝部４５を除いた部分の坪量を意味する。中高部溝部４３の坪量は、好ましくは１０ｇ／ｍ2以上３５０ｇ／ｍ2以下、より好ましくは２０ｇ／ｍ2以上２５０ｇ／ｍ2以下である。尚、中高部溝部４３の坪量は、上述した吸収性コア４１の各部の厚みの測定方法で説明したように切り出した中高部溝部４３の部分のサンプルの質量を、そのサンプルの肌対向面側の面の面積で除して求める。
【００４６】
ナプキン１では、図２に示すように、吸収性コア４１の周辺領域４１Ａｒに、周囲よりも坪量が小さい溝部４５を備え、溝部４５が縦方向Ｘに延びる縦溝４５Ｘと横方向Ｙに延びる横溝４５Ｙとを有している。ナプキン１では、周辺領域４１Ａｒは、それぞれ、相対的に坪量が小さい溝部４５と相対的に坪量が大きい小吸収部４６とを有している。好適には、溝部４５は、縦方向Ｘに延びる縦溝４５Ｘと、横方向Ｙに延びる横溝４５Ｙとからなる。そして、縦方向Ｘに延びる縦溝４５Ｘは、横方向Ｙに一定の間隔を空けて配され、横方向Ｙに延びる横溝４５Ｙは、縦方向Ｘに一定の間隔を空けて配されている。小吸収部４６は、縦溝４５Ｘ及び横溝４５Ｙで区画された格子の目の位置及び中間中高部４２に隣接した位置に配されている。上述した周辺領域４１Ａｒの厚み及び坪量とは、小吸収部４６の厚み及び坪量を意味する。
【００４７】
ナプキン１では、周辺領域４１Ａｒに溝部４５及び小吸収部４６を有し、第二領域４１Ｍと第三領域４１Ｒとに中間中高部４２、中高部溝部４３及び後方中高部４７を有する吸収性コア４１は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。
【００４８】
ナプキン１では、吸収性コア４１における溝部４５の溝幅は、追従性と体液の平面方向拡散性の観点から、好ましくは０．１ｍｍ以上５ｍｍ以下、より好ましくは、０．５ｍｍ以上３ｍｍ以下である。また、ナプキン１では、吸収性コア４１における溝部４５での厚みは、柔軟性と体液の平面方向拡散性の観点から、周辺領域４１Ａｒの溝部４５以外の厚みに対して好ましくは５％〜６５％、より好ましくは５％〜４５％である。尚、溝部４５の溝幅及び後述する厚みは、溝部４５の延びる方向に直交する方向に切断し、切端面の写真から計測する。溝部４５の坪量は、好ましくは周辺領域４１Ａｒに対して好ましくは５〜９５％である。尚、溝部４５の坪量は、上述した吸収性コア４１の各部の厚みの測定方法で説明したように切り出した溝部４５の部分のサンプルの質量を、そのサンプルの肌対向面側の面の面積で除して求める。
なお、ナプキン１では、中高間隔溝部４８の溝幅、厚み及び坪量は、溝部４５と同様である。
【００４９】
上述したナプキン１の吸収性コア４１は、例えば、図７（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００５０】
また、図７（ａ）に示すように、集積用凹部５５の底面５６の一部には、中間中高部４２及び後方中高部４７を形成するための２つの凹部５６ｂ，５６ｃが形成されている。また、凹部５６ｂの底部には、中央中間中高部４２Ｃを形成する部分と、一対の側方中間中高部４２Ｓ，４２Ｓを形成する部分とで深さを異ならせてあり、また、中央中間中高部４２Ｃや一対の側方中間中高部４２Ｓ，４２Ｓに溝部４３，４８を形成するための難通気性部材５７及び中央中間中高部４２Ｃと一対の側方中間中高部４２Ｓ，４２Ｓとの間に中高部溝部４３を形成するための同様の難通気性部材が配置されている。また、集積用凹部５５の底面５６の凹部５６ｂ，５６ｃ以外の部分には、溝部４５を形成するための難通気性部材５８が形成されている。難通気性部材５７，５８は、集積用凹部５５の底面から突出するように固定されており、非通気性部材であっても良く、例えば金属やプラスチック、セラミック等からなる。
【００５１】
積繊ドラムを備えた公知の積繊装置と同様に、集積用凹部５５の底面から吸引しつつ、ダクト内に、吸水性ポリマーとパルプ繊維とを混合したコア材料を供給することによって、図７（ｂ）に示すように、コア材料が集積用凹部５５内に所定形状に堆積する。その堆積物４０を、集積用凹部５５から離型することで、吸収性コア４１の前駆体が得られる。吸収性コア４１の前駆体は、コアラップシート（不図示）で被覆された後に、ロータリーカッター等でカットされ、搬送方向にベルトコンベア等の搬送手段によって搬送される。このようにして吸収性コア４１が得られる。このようにして得られたコアラップシート（不図示）で被覆された吸収性コア４１は、一対のロール間に単回又は複数回通すこと等により、全体又は部分的に加圧し適度に圧縮させる。これにより、凹部５６ｂに堆積した部分が、坪量及び厚みともに相対的に大きい中間中高部４２となる。同様に、凹部５６ｂに隣接する上流側領域及び下流側領域に堆積したコア材料からなる部分が、坪量が相対的に小さい吸収性コア４１における第一領域４１Ｆ及び第三領域４１Ｒとなる。また、凹部５６ｂの第１難通気性部材５７上に堆積したコア材料からなる部分が、第一領域４１Ｆの坪量及び第三領域４１Ｒの坪量よりも相対的に小さい中高部溝部４３となる。凹部５６ｂに隣接する上流側領域及び下流側領域の第２難通気性部材５８上に堆積したコア材料からなる部分が、小吸収部４６の坪量よりも相対的に小さい溝部４５となる。
【００５２】
ナプキン１では、肌側シート２は、図８に示すように、複数のエンボス部２Ｅによって囲まれた大多角形領域ＢＴを複数有し、エンボス部２Ｅは大多角形領域ＢＴの頂部をなしている。そして、各大多角形領域ＢＴ内には相対的に高さの高い高凸部２ｔ１が形成されている。また、肌側シートは、複数の大多角形領域ＢＴの頂部をなすエンボス部２Ｅによって囲まれた、大多角形領域ＢＴよりも面積が小さい小多角形領域ＳＴを複数有し、エンボス部２Ｅは小多角形領域ＳＴの頂部もなしている。そして、各小多角形領域ＳＴ内には、高凸部２ｔ１よりも高さの低い低凸部２ｔ２が形成されている。
【００５３】
詳述すると、ナプキン１の肌側シート２においては、大多角形領域ＢＴは、図８に示すように、頂部をなす６つのエンボス部２Ｅによって囲まれており、外形が六角形の形状となっている。一方、小多角形領域ＳＴは、図８に示すように、頂部をなす４つのエンボス部２Ｅによって囲まれており、外形が四角形の形状となっている。
【００５４】
肌側シート２では、図８に示すように、複数の大多角形領域ＢＴが横方向Ｙに沿って互いに隣接して配されて構成された大多角形領域列ＢＴＬが形成され、大多角形領域ＢＴ内の高凸部２ｔ１が横方向Ｙに沿って複数配されて高凸部列２１Ｌを構成されている。また、肌側シート２では、複数の小多角形領域ＳＴが横方向Ｙに沿って互いに隣接して配されて構成された小多角形領域列ＳＴＬが形成され、小多角形領域ＳＴ内の低凸部２ｔ２が横方向Ｙに沿って複数配されて低凸部列２２Ｌが構成されている。そして、大多角形領域列ＢＴＬと小多角形領域列ＳＴＬとが、横方向Ｙと直交する縦方向Ｘに交互に配されている。即ち、縦方向Ｘに沿って、高凸部列２１Ｌ、低凸部列２２Ｌ、高凸部列２１Ｌ・・・と交互に配置されている。
【００５５】
ナプキン１の肌側シート２においては、図８に示すように、エンボス部２Ｅは、縦方向Ｘに関して最も近い位置にある２つの高凸部２ｔ１，２ｔ１どうしの間で、且つ、横方向Ｙに関して最も近い位置にある２つの低凸部２ｔ２，２ｔ２どうしの間に中間エンボス部２Ｅ１を有している。肌側シート２においては、複数のエンボス部２Ｅは中間エンボス部２Ｅ１と、中間エンボス部２Ｅ１を除く残りの他エンボス部２Ｅ２の２種からなる。なお、本明細書において、「１個のエンボス部」とは、外形的に１つと見做せるエンボス形状のことをいい、該エンボス部が複数のドットや破線で構成されていても「１個のエンボス部」という。ナプキン１では、中間エンボス部２Ｅ１はＸ字形状、各他エンボス部２Ｅ２は、図８に示すように、Ｙ字形状に形成されている。
【００５６】
各エンボス部２Ｅ（中間エンボス部２Ｅ１及び他エンボス部２Ｅ２）は、良好な肌触りを維持しながら肌側シート２における液の引き込み性および拡散性を高める観点から、１個のエンボス部２Ｅ（中間エンボス部２Ｅ１及び他エンボス部２Ｅ２の平均）の面積が、１ｍｍ2以上１５ｍｍ2以下であることが好ましく、１．５ｍｍ2以上１２ｍｍ2以下であることが更に好ましい。
【００５７】
エンボス部２Ｅ（中間エンボス部２Ｅ１及び他エンボス部２Ｅ２）においては、肌側シート２の構成繊維が圧密化されている。肌側シート全面積に対するエンボス部２Ｅの面積の比率、即ちエンボス化率は５％以上３０％以下であることが体液引き込み性と風合いの観点から好ましく、特に、７％以上２０％以下であることが好ましい。肌側シート２におけるエンボスパターンによれば、このような低いエンボス化率としても、着用者の肌との接触面積を低くすることができる。
【００５８】
以上のように形成された肌側シート２では、図８に示すように、六角形の大多角形領域ＢＴ内に形成される高凸部２ｔ１は、平面形状が楕円の凸部であり、四角形の各小多角形領域ＳＴ内に形成される低凸部２ｔ２は、平面形状が円形の凸部となっている。
【００５９】
高凸部２ｔ１の厚み方向（Ｚ方向）の頂点における高さｈｂ（図９参照）は、肌側シート２の良好は肌触りを高め且つ繊維の密度勾配を強化して液の引込み性を高める観点から、１．０ｍｍ以上７．０ｍｍ以下であることが好ましく、１．５ｍｍ以上５．０ｍｍ以下であることが更に好ましい。また、高凸部２ｔ１の底面からの隆起角度θ３（図１０参照）は、多量の経血時においても肌に触れる部分に経血を残し難くする観点から、７０°以上９０°以下であることが好ましく、７５°以上８５°以下であることが更に好ましい。
【００６０】
低凸部２ｔ２の厚み方向（Ｚ方向）の頂点における高さｈｓ（図１１参照）は、肌側シート２の良好な肌触り感を高め且つ繊維の密度勾配を強化して液の引込み性を高める観点から、０．４ｍｍ以上４．５ｍｍ以下であることが好ましく、０．８ｍｍ以上２．５ｍｍ以下であることが更に好ましい。
また、低凸部２ｔ２の底面からの隆起角度θ４（図１１参照）は、多量の経血時においても肌に触れる部分に経血を残し難くする観点から、２５°以上７０°以下であることが好ましく、３０°以上６５°以下であることが更に好ましい。隆起角度θ４は、上記高さｈｓを測定する際に同時に測定する。
【００６１】
肌側シート２は、図９〜図１１に示すように、肌対向面側に非熱収縮性繊維を含む非熱収縮繊維層２ｕと、非肌対向面側に熱収縮した熱収縮性繊維を含む熱収縮繊維層２ｄとからなっている。肌側シート２の熱収縮繊維層２ｄと非熱収縮繊維層２ｕとは、複数のエンボス部２Ｅにより、間欠的に接合されている。具体的には、肌側シート２は、熱収縮繊維層２ｄと非熱収縮繊維層２ｕとが、規則的に配された複数のエンボス部２Ｅにより部分的に接合されて貼り合わされており、非肌対向面側の熱収縮繊維層２ｄの熱収縮性繊維が熱収縮されて形成されている。肌側シート２には、図９〜図１１に示すように、非熱収縮繊維層２ｕの肌対向面側からエンボスしたエンボス部２Ｅにより凹陥した複数の凹部と、エンボスされていない非エンボス部に複数の凸部２ｔが形成されている。そして、凸部２ｔが、複数の高凸部２ｔ１と複数の低凸部２ｔ２とを有している。高凸部２ｔ１と低凸部２ｔ２とは、第１層２ｕの非熱収縮繊維層２ｕで構成されており、非熱収縮繊維層２ｕを構成する同一の繊維で満たされている。
【００６２】
肌側シート２においては、低凸部２ｔ２の繊維密度が高凸部２ｔ１の繊維密度よりも高くなっている。また、第２層２ｄの熱収縮繊維層２ｄを構成する繊維の繊維密度が、低凸部２ｔ２を構成する第１層２ｕの非熱収縮繊維層２ｕの繊維の繊維密度よりも高くなっている。好適に、立体ドーム構造の高凸部２ｔ１は、その繊維密度が、立体ドーム構造の低凸部２ｔ２の繊維密度よりも低くなっており、特にそのＺ方向の頂点（高さｈｂの基準点）において、肌側シート２の中で最も低くなっている。立体ドーム構造の低凸部２ｔ２は、その繊維密度が、そのＺ方向の頂点（高さｈｓの基準点）において、低凸部２ｔ２の中で最も低くなっている。
【００６３】
低凸部２ｔ２のＺ方向の頂点（高さｈｓの基準点）における繊維密度ｄｓに対する、高凸部２ｔ１のＺ方向の頂点（高さｈｂの基準点）における繊維密度ｄｂの比率（ｄｂ／ｄｓ）は、排泄された体液の引き込み性を強化する観点から、１．２倍以上３．０倍以下であることが好ましく、１．５倍以上２．５倍以下であることが更に好ましい。
【００６４】
肌側シート２の繊維密度の比率は、特開２０１５−１８６５４３号公報の段落〔００４２〕乃至〔００４６〕に記載の方法によって測定することができる。
【００６５】
肌側シート２の形成材料については、特開２０１５−１８６５４３号公報の段落〔００４７〕乃至〔００５３〕に記載を援用できる。
【００６６】
肌側シート２の坪量は、２０ｇ／ｍ2以上１００ｇ／ｍ2以下であることが好ましく、３５ｇ／ｍ2以上８０ｇ／ｍ2以下であることが更に好ましい。
肌側シート２と着用者の肌との接触面積は４５％以下、特に４２％以下であることが上述の理由から好ましい、また下限値としては２５％以上、特に３０％以上が好ましい。
【００６７】
また、肌側シート２は、図２に示すように、非熱収縮繊維層２ｕを肌対向面側に配し、熱収縮繊維層２ｄを非肌対向面側に配して形成されている。そのため、収縮によって繊維密度が高まった熱収縮繊維層２ｄへ向かって、排泄された体液が肌対向面側から非肌対向面側に毛管力により引き込まれて速やかに移行し、ムレ低減効果を奏する。
【００６８】
上述した本実施形態のナプキン１の各構成部材の形成材料については、当該技術分野で公知のものを使用することができる。非肌側シート３は、難透液性又は、不透過性を有することが好ましく、坪量が１０〜５０ｇ／ｍ2であり、厚さが、８〜２００μｍであることが好ましい。吸収性コア４１のコア材料は、パルプ繊維や吸水性ポリマーを使用することができる。また、吸収性コア４１には、消臭剤や抗菌剤等を必要に応じて配合しても良い。吸収性コア４１を被覆するコアラップシート（不図示）を使用する場合、ティッシュペーパー、透水性の不織布等が使用できる。サイドシート５としては、液不透過性又は撥水性の樹脂フィルム、樹脂フィルムと不織布との積層体等を用いることができる。
【００６９】
上述したナプキン１によれば、図１及び図２に示すように、吸収性コア４１が前方区域Ａ側に位置する第一領域４１Ｆと後方区域Ｃ側に位置する第三領域４１Ｒとの間の第二領域４１Ｍに配される中間中高部４２と、第三領域４１Ｒに配される後方中高部４７とを有している。その為、ナプキン１を着用すると中間中高部４２及び後方中高部４７に対応する部分が肌に向かって突出することで着用者の身体に沿って変形し、フィット性が向上することで安定的に血液などの体液を吸収できる。また、図４に示すように、中間中高部４２と後方中高部４７との間は中高間隔領域４１Ｄを介して互いに離間しており、肌側シート２は、肌対向面側に突出した高凸部２ｔ１が複数横方向Ｙに並んだ高凸部列２１Ｌと、高凸部２ｔ１よりも高さの低い低凸部２ｔ２が複数横方向Ｙに並んだ低凸部列２２Ｌとが縦方向Ｘに交互に配された高低凸部列領域４９を有しており、高低凸部列領域４９が中高間隔領域４１Ｄと重なっている。その為、例えば、ナプキン１を着用して中間中高部４２及び後方中高部４７が着用者の身体に沿って変形した場合に、中高間隔領域４１Ｄで高凸部列２１Ｌが着用者の肌にフィットし、隣り合う高凸部列２１Ｌどうしの間で低凸部列２２Ｌ上に空間を形成する。これにより、着用者の肌にフィットしながら空気の流路が横方向Ｙに沿って形成され、通気性が維持されるので、着用時のべたつき感やムレ感を低減させることができる。このようにナプキン１は、十分なフィット性が得られると共に、着用時のべたつき感やムレ感が低減して着用感が優れる。
【００７０】
また、ナプキン１では、図９〜図１１に示すように、肌側シート２の高凸部２ｔ１と低凸部２ｔ２とが、非熱収縮繊維層２ｕを構成する同一の繊維で満たされている。また、低凸部２ｔ２の繊維密度が高凸部２ｔ１の繊維密度よりも高くなっている。したがって、排泄された体液は、着用者の肌に接触している高凸部２ｔ１から高密度の低凸部２ｔ２側へと移行し易く、肌側シート２に排泄された体液が、横方向Ｙに適度な速度で更に拡がり易い。特に、ナプキン１では、第２層２ｄの熱収縮繊維層２ｄを構成する繊維の繊維密度が低凸部２ｔ２を構成する第１層２ｕの非熱収縮繊維層２ｕの繊維の繊維密度よりも高くなっているので、第２層２ｄの熱収縮繊維層２ｄによって肌側シート２に排泄された体液を横方向Ｙに適度な速度で拡がらせることができる。そして、第１層２ｕの非熱収縮繊維層２ｕが非熱収縮性繊維を含み、第２層２ｄの熱収縮繊維層２ｄが熱収縮した熱収縮性繊維を含んでいるので、第２層２ｄの熱収縮繊維層２ｄによって肌側シート２に排泄された体液を横方向Ｙに適度な速度で更に拡がらせることができる。
【００７１】
また、ナプキン１では、図２及び図４に示すように、中高間隔領域４１Ｄに、周囲よりも坪量が小さく、横方向Ｙに延在する横中高間隔溝部４８ｙが配されている。その為、横中高間隔溝部４８ｙを基端にして縦方向Ｘに折れ曲がり易くなるので吸収性コア４１が着用者の身体に沿って変形し易くなり、フィット性を向上させることができる。
【００７２】
また、中高間隔領域４１Ｄに配される横中高間隔溝部４８ｙは、図２及び図４に示すように、中間中高部４２の縦方向Ｘの後端又は後方中高部４７の縦方向の先端に接する位置に配されている。ナプキン１では、中間中高部４２の縦方向Ｘの後端及び後方中高部４７の縦方向の先端に接する位置に配されている。その為、中間中高部４２の縦方向Ｘの後端及び後方中高部４７の縦方向の先端で吸収性コアが縦方向Ｘに更に折れ曲がり易くなり、より一層、フィット性を向上させることができる。
【００７３】
以上、本発明をその好ましい実施形態に基づき説明したが、本発明の吸収性物品は本実施形態のナプキン１に何ら制限されるものではなく、適宜変更可能である。
【００７４】
ナプキン１の吸収性コア４１は、その全体が一体成形されているが、これに代えて、第一領域４１Ｆから第三領域４１Ｒに亘って同じ高さにコア材料で形成しておき、次に、別のコア材料で形成されたものを配置して高坪量部を形成してもよい。
【符号の説明】
【００７５】
１  生理用ナプキン（吸収性物品）
Ａ  前方区域
Ｂ  中間区域
Ｃ  後方区域
２  肌側シート
２ｔ  凸部
２ｔ１  高凸部
２１Ｌ  高凸部列
２ｔ２  低凸部
２２Ｌ  低凸部列
２ｕ  第１層（非熱収縮繊維層）
２ｄ  第２層（熱収縮繊維層）
２Ｅ  エンボス部
３  非肌側シート
４  吸収体
４１  吸収性コア
４１Ｆ  吸収性コアの第一領域
４１Ｍ  吸収性コアの第二領域
４１Ｒ  吸収性コアの第三領域
４１Ｄ  吸収性コアの中高間隔領域
４１Ａｒ  吸収性コアの周辺領域
４２  中間中高部
４２Ｃ  中央中間中高部
４２Ｓ  側方中間中高部
４３  中高部溝部
４５  溝部
４６  小吸収部
４７  後方中高部
４８  中高間隔溝部
４９  高低凸部列領域
【図１】
2018102639.tif 000003
【図２】
2018102639.tif 000004
【図３】
2018102639.tif 000005
【図４】
2018102639.tif 000006
【図５】
2018102639.tif 000007
【図６】
2018102639.tif 000008
【図７】
2018102639.tif 000009
【図８】
2018102639.tif 000010
【図９】
2018102639.tif 000011
【図１０】
2018102639.tif 000012
【図１１】
2018102639.tif 000013